(57)【要約】【課題】  腰に巻き付けて着用する安全ベルトであって、一般の作業ズボンのベルトとして着用することが出来るコンパクトで使いやすい安全ベルトの提供。【解決手段】  安全バルトはベルト１の基端部にバックル２を取着し、バックル２の中央部にはハンドル３にて回転することが出来る回転ドラム８を取付けると共に、該バックル２の両側にはベルト１が挿通する穴６，７を形成したベルト係止部４，５を設け、又バックル２の背面側にはベルト１が挿通する溝穴１７を貫通し、そして上記回転ドラム８には先端にフック金具１４を連結したロープ１２を巻付けて引出し可能としている。【選択図】    図３
2006158829.tif 000002
【特許請求の範囲】
【請求項１】
腰に巻き付けて着用する安全ベルトにおいて、該安全バルトはベルトの基端部にバックルを取着し、バックルの中央部にはハンドルにて回転することが出来る回転ドラムを取付けると共に、該バックルにはベルト先端部を係止して弛まないようにする係止手段を設け、そして上記回転ドラムには先端にフック金具を連結したロープを巻付けて引出し可能としたことを特徴とする安全ベルト。
【請求項２】
腰に巻き付けて着用する安全ベルトにおいて、該安全バルトはベルトの基端部にバックルを取着し、バックルの中央部にはハンドルにて回転することが出来る回転ドラムを取付けると共に、該バックルの両側にはベルトが挿通する穴を形成したベルト係止部を設け、又バックルの背面側にはベルトが挿通する溝穴を貫通し、そして上記回転ドラムには先端にフック金具を連結したロープを巻付けて引出し可能としたことを特徴とする安全ベルト。
【発明の詳細な説明】
【技術分野】
【０００１】
本発明はビルの建設や電気配線工事など、高所で作業する場合に使用する安全ベルトに関するものである。
【背景技術】
【０００２】
近年の建物は非常に高くて、高所で色々な作業するケースは多く、それに伴って危険が付きまとう。労働安全衛生規則によると、作業床のない場合、作業床の開口部高さ２m以上での作業については安全ベルトを使用しなくてはならないように義務付けされている。しかし現状では安全ベルト未使用のために、墜落・転落による死亡災害は後を絶たない。
【０００３】
短時間で終わるような作業であっても、安全ベルトを使用しなくてはならないが、既存の安全ベルトを身に付けて作業しない場合も多い。特に、梯子や脚立での簡単な作業中に転倒して被災する場合が多い。又、高所作業車に載って作業する場合でも、バケット内で安全ベルトを使用しなくてはならないが、職種によっては全く使用していない場合も多く見受けられる。
【０００４】
安全ベルトにも色々な構造のものが知られているが、基本的な構造に関しては「労働安全衛生法第４２条」に規定されている。特開平６−７４７０号に係る「安全装置」は構造が簡単であり、確実且つ安全に作動し、非常に簡単に安全ロープに取付けることが出来、何れの方向においても作動する高所で作業する作業者用の安全装置である。
【０００５】
すなわち、「安全ロープが通る通路を限定する本体と、皮帯よりベルトに接続されるリングと、ブレーキと、万一作業者が転落した場合、本装置をロープに固定する施錠装置とから構成し、ブレーキを構成する歯車をスピンドルに嵌合し、スピンドル上には安全ロープと協働する歯をもつカムを取付け、カムにバネで取付けられた歯付きリングから離して保持される爪と協働する重りを備え、歯車が限界点より大きい速度で回転する場合、爪が歯付きリングと係合して、カムの歯が安全ロープを通路に施錠させるようにしている。」
ところで、このように構成した上記安全ベルトの施錠装置の寸法は大きくて重く、常時携帯するには違和感があると共に面倒である。その為に、安全ベルトを着用しないで高所へ上がって作業する場合も多くみられ、それが為に転落事故を引き起こしているのが現状である。
【特許文献１】特開平６−７４７０号に係る「安全装置」
【発明の開示】
【発明が解決しようとする課題】
【０００６】
このように従来の安全ベルトには上記のごとき問題がある。本発明が解決しようとする課題はこの問題点であり、作業ズボンのベルトとして使用することが出来るように使い易くてコンパクトな安全ベルトを提供する。
【課題を解決するための手段】
【０００７】
本発明に係る安全ベルトは、通常のベルトとしての使用も可能なコンパクトなサイズで構成される。着用する際には正面にバックルを有し、該バックルを介してベルトが締結されるが、バックルとベルトの連結構造は自由であって限定されるものではない。そして、本発明に係る安全ベルトのバックルには、回転ドラムが軸支され、該回転ドラムの軸先端はバックル正面に突出し、突出した軸先端にはハンドルが取着されている。
【０００８】
上記回転ドラムにはロープが巻付き、該ロープ先端にはフック金具が連結している。フック金具の形態は色々あり、高所に上がって作業する際に安定した部材に係止する為の金具である。そこで、フック金具を引くことで回転ドラムに巻き付いているロープは巻き戻され、逆にハンドルを回転することでロープは回転ドラムに巻付いて収納される。ここで、上記ロープは細くて高張力を有すものであるが、その材質は特に限定しない。
【発明の効果】
【０００９】
本発明の安全ベルトはバックルに回転ドラムを備え、回転ドラムにはロープを巻付けている。従って、高所で作業する際には回転ドラムからロープを巻戻して引っ張り、先端のフック金具を適当な箇所に係止することが出来る。ここで、ロープは作業に支障のない長さと成っており、高所から転倒した際には係止したフック金具を介してロープにて落下を防止し得る。
【００１０】
ここで、ロープが巻付いている回転ドラムには、施錠機構やブレーキ機構などはない為に構造は簡素化されると共に、バックルの寸法は小さく成り、通常のベルトとして常時着用することが出来る。従って、高所へ上がる際に安全ベルの着用を忘れることはない。
【実施例】
【００１１】
図１は本発明に係る安全ベルトを示す実施例であり、同図の１はベルト、２はバックルを表している。ベルト１は引張り強度の高い素材で構成され、例えば株式会社クラレの「ベクトラン」(商標)が適している。このベクトランは高強度ポリアリレート繊維で、引張り強度、低吸水、耐摩耗性に優れ、ロープや魚網、被覆材などに使用されている。従って、このベクトランを素材として用いたベルトは安全ベルトとして適している。
【００１２】
上記バックル２はベルト１の基端に連結・固定され、腰に巻き付けることが出来る適度な長さと成っている。バックル２の中央部にはハンドル３を有し、両側部にはベルト係止部４，５を設けている。左側のベルト係止部４には比較的大きな長方形穴６が形成され、右側のハンドル係止部５には細長い長方形穴７が形成されている。これら両穴６，７にベルト先端部が挿通係止し、腰に巻付けたベルト１が弛まないように係止することが出来る。
【００１３】
図２は上記バックル２を示す詳細図であり、(ａ)は平面図、(b)は正面図、(ｃ)は側面図をそれぞれ表している。バックル２の中央部には回転ドラム８が回転自在に取付けられ、回転軸９の両端には円形の側板１０，１０が設けられ、そして回転軸９の先端は正面板１１から突出している。突出した回転軸９の先端には上記ハンドル３を取着し、このハンドル３を操作することによって回転ドラム８は自由に回転することが出来る。
【００１４】
そして、上記回転ドラム８の回転軸９にはロープ１２が巻付き、このロープ１２は外側板１３に設けた小さな穴を貫通して外方向へ延び、ロープ先端にはフック金具１４を連結・固定している。図２はバックル２を抽象的に図示したものであり、上記ロープ先端に連結しているフック金具１４は適度な部材に係止することが出来る。そして、このフック金具１４を引っ張ることで、回転ドラム８に巻付いているロープ１２は巻戻されて延び、逆にハンドル３を回すならば回転ドラム８にロープ１２を巻付けることが出来る。
【００１５】
ロープ１２の長さは先端に連結したフック金具１４を適度な部材に係止した状態で作業者が身体を動かして作業を行うことが可能な必要最小限の長さと成っている。同図に示すバックル２ではロープ１２の引出し長さの調整機構は備わっていないが、ある範囲内で動かなくてはならない作業もある為に、長いロープ１２を回転ドラム８に巻き付けておき、作業の内容に応じて必要最小限の長さに調整するようにすることは可能である。すなわち、ロック機構を設けて適度な長さにてロックするようにすればよい。図２に示すバックル２の左側ベルト係止部４に設けている穴６には、互いに平行な２本のガイド１５，１５が水平に設けられている。
【００１６】
図３は安全ベルトを着用した場合の、バックル部分の詳細図である。ベルト１の基端部はバックル２の背面に複数本のネジ１６，１６・・を用いて固定され、そして該ベルト１を腰に巻き付けて一回りしたベルト先端部は左側のベルト係止部４に設けている穴６に背面側から正面側へベルト１を挿通し、バックル中央部に貫通した溝穴１７を通して右側のベルト係止部５の穴７には正面側から背面側へベルト１が挿通している。そして、右側のベルト係止部５の穴７を挿通したベルト先端部はロックされて弛むことはない。
【００１７】
この安全ベルトも一般的なベルトと同じように、腰に巻き付けて先端部をバックル２にて弛まないように係止することが出来る構造と成っているが、ベルト先端部の係止手段は該実施例に限定するものではない。従来のベルトにおいて採用されている係止手段を用いることも可能である。
【００１８】
図４は本発明の安全ベルトを装着した状態で、バックル２からロープ１２を引き出して延びている。ロープ先端に連結しているフック金具１４は適当な部材に係止することが出来る。図５(ａ)、(ｂ)は安全ベルトを使用して作業を行っている場合を表している。同図(ａ)は作業者１９が脚立１８に載っているが、安全ベルトから延びるロープ先端のフック金具１４は上部の水平部材２０に係止されている。従って、作業者１９が身体のバランスを崩して転倒しても、床まで落下することはない。
【００１９】
同図(ｂ)の場合には、作業者１９が建設現場に組み上げられた足場２１の高所に載って作業しているが、安全ベルトのロープ先端フック金具１４を足場２１の桟に係止している。従って、作業者１９が不注意で転倒しても、足場２１から落下することはなく、少なくとも落下による死亡は免れる。
【図面の簡単な説明】
【００２０】
【図１】本発明に係る安全ベルトの概略図。
【図２】安全ベルトのバックルを示す具体例。
【図３】安全ベルトを着用した場合のバックルとベルトとの関係。
【図４】安全ベルトを着用した場合の正面図。
【図５】安全ベルトを着用して作業している場合。
【符号の説明】
【００２１】
１  ベルト
２  バックル
３  ハンドル
４  ベルト係止部
５  ベルト係止部
６  穴
７  穴
８  回転ドラム
９  回転軸
10  側板
11  正面板
12  ロープ
13  外側板
14  フック金具
15  ガイド
16  ネジ
17  溝穴
18  脚立
19  作業者
20  水平部材
21  足場
【図１】
2006158829.tif 000003
【図２】
2006158829.tif 000004
【図３】
2006158829.tif 000005
【図４】
2006158829.tif 000006
【図５】
2006158829.tif 000007